(57)【特許請求の範囲】
【請求項１】
無線基地局と、端末装置と、前記無線基地局と前記端末装置との間の無線通信の中継を行う複数の中継装置と、上位ノードと、を有する無線通信システムであって、
前記複数の中継装置のそれぞれは、当該中継装置と前記無線基地局との間の無線通信における通信品質の情報を前記上位ノードに通知し、
前記上位ノードは、前記複数の中継装置の位置情報に基づいて、所定範囲内に存在する複数の中継装置を判別し、前記通信品質の情報に基づいて、前記所定範囲内に存在する複数の中継装置を順位付けした情報である順位情報を前記端末装置へ通知し、
前記端末装置は、前記順位情報によって示される順位の最も高い中継装置に優先的に接続する無線通信システム。
【請求項２】
無線基地局と、端末装置と、前記無線基地局と前記端末装置との間の無線通信の中継を行う複数の中継装置と、上位ノードと、を有する無線通信システムにおける通信制御方法であって、
前記複数の中継装置のそれぞれは、当該中継装置と前記無線基地局との間の無線通信における通信品質の情報を前記上位ノードに通知するステップと、
前記上位ノードは、前記複数の中継装置の位置情報に基づいて、所定範囲内に存在する複数の中継装置を判別し、前記通信品質の情報に基づいて、前記所定範囲内に存在する複数の中継装置を順位付けした情報である順位情報を前記端末装置へ通知するステップと、
前記端末装置は、前記順位情報によって示される順位の最も高い中継装置に優先的に接続するステップと、
を含む通信制御方法。
【請求項３】
中継装置を介して無線基地局と無線通信する端末装置であって、
所定範囲内に存在する複数の中継装置に対して順位付けした情報である順位情報が通知されたとき、前記順位情報によって示される順位の最も高い中継装置に優先的に接続する制御部を含み、
前記順位情報は、前記複数の中継装置のそれぞれと前記無線基地局との間の無線通信における通信品質に基づいて前記複数の中継装置を順位付けした情報である端末装置。
【発明の詳細な説明】
【技術分野】
【０００１】
本発明は、無線基地局と、端末装置と、前記無線基地局と先記端末装置との間の無線通信の中継を行う複数の中継装置と、上位ノードとを有する無線通信システムと、当該無線通信システムにおける通信制御方法に関する。
【背景技術】
【０００２】
モバイルルータ（ＭＲ）（例えば、特許文献１参照）は、無線基地局と端末装置との間の無線通信の中継を行う。具体的には、モバイルルータは、端末装置に対して、無線ＬＡＮ方式のアクセスポイントとして機能し、無線基地局に対して、無線端末として機能する。モバイルルータは、通常、端末装置と１対１で対応付けられる。例えば、バスの乗客がそれぞれモバイルルータを所持しており、バス内に多数のモバイルルータが存在する場合であっても、乗客が所持する端末装置は、当該乗客が所持するモバイルユーザのみに接続可能である。
【先行技術文献】
【特許文献】
【０００３】
【特許文献１】特開２００４−１５３８０２号公報
【発明の概要】
【発明が解決しようとする課題】
【０００４】
上述の通り、モバイルルータと端末装置とが１対１で対応付けられることにより、端末装置は、周辺に複数のモバイルルータが存在する場合でも、無線基地局との間の通信状態が良好なモバイルルータを選択できない。また、複数のモバイルルータが、それぞれ無線基地局と無線通信を行うことにより、モバイルルータ同士が、当該モバイルルータと無線基地局との間の無線リソースを奪い合うことになる。このため、一部のモバイルルータに接続する端末装置が無線基地局と無線通信を行うことができない場合もあり、必ずしも効率の良い無線通信を行うことができなかった。
【０００５】
そこで、本発明は、良好な通信品質で、且つ、効率の良い無線通信を行う無線通信システム及び通信制御方法を提供することを目的とする。
【課題を解決するための手段】
【０００６】
上述した課題を解決するために、本発明は以下のような特徴を有している。
【０００７】
本発明に係る無線通信システムの特徴は、無線基地局と、端末装置と、前記無線基地局と前記端末装置との間の無線通信の中継を行う複数の中継装置と、上位ノードと、を有する無線通信システムであって、前記複数の中継装置のそれぞれは、当該中継装置と前記無線基地局との間の無線通信における通信品質の情報を前記上位ノードに通知し、前記上位ノードは、前記複数の中継装置の位置情報に基づいて、所定範囲内に存在する複数の中継装置を判別し、前記通信品質の情報に基づいて、前記所定範囲内に存在する複数の中継装置を順位付けした情報である順位情報を前記端末装置へ通知し、前記端末装置は、前記順位情報によって示される順位の最も高い中継装置に優先的に接続することを要旨とする。
【００１１】
本発明に係る通信制御方法の特徴は、無線基地局と、端末装置と、前記無線基地局と前記端末装置との間の無線通信の中継を行う複数の中継装置と、上位ノードと、を有する無線通信システムにおける通信制御方法であって、前記複数の中継装置のそれぞれは、当該中継装置と前記無線基地局との間の無線通信における通信品質の情報を前記上位ノードに通知するステップと、前記上位ノードは、前記複数の中継装置の位置情報に基づいて、所定範囲内に存在する複数の中継装置を判別し、前記通信品質の情報に基づいて、前記所定範囲内に存在する複数の中継装置を順位付けした情報である順位情報を前記端末装置へ通知するステップと、前記端末装置は、前記順位情報によって示される順位の最も高い中継装置に優先的に接続するステップと、を含むことを要旨とする。
本発明に係る端末装置の特徴は、中継装置を介して無線基地局と無線通信する端末装置であって、所定範囲内に存在する複数の中継装置に対して順位付けした情報である順位情報が通知されたとき、前記順位情報によって示される順位の最も高い中継装置に優先的に接続する制御部を含み、前記順位情報は、前記複数の中継装置のそれぞれと前記無線基地局との間の無線通信における通信品質に基づいて前記複数の中継装置を順位付けした情報であることを要旨とする。
【発明の効果】
【００１２】
本発明の特徴によれば、良好な通信状態で、且つ、効率の良い無線通信を行うことができる。
【図面の簡単な説明】
【００１３】
【図１】本発明の実施形態に係る無線通信システムの全体概略構成図である。
【図２】本発明の実施形態に係る端末装置の構成を示す図である。
【図３】本発明の実施形態に係るモバイルルータの構成を示す図である。
【図４】本発明の実施形態に係る無線基地局の構成を示す図である。
【図５】本発明の実施形態に係る上位ノードの構成を示す図である。
【図６】本発明の実施形態に係る位置情報、通信品質情報及びアクセス情報の一例を示す図である。
【図７】本発明の実施形態に係る近接ＭＲリスト情報の一例を示す図である。
【図８】本発明の実施形態に係る無線通信システムの動作を示すシーケンス図である。
【発明を実施するための形態】
【００１４】
次に、図面を参照して、本発明の実施形態を説明する。具体的には、（１）無線通信システムの構成、（２）無線通信システムの動作、（３）作用・効果、（４）その他の実施形態について説明する。以下の実施形態における図面の記載において、同一又は類似の部分には同一又は類似の符号を付している。
【００１５】
（１）無線通信システムの構成
図１は、本発明の実施形態に係る無線通信システム１の全体概略構成図である。無線通信システム１は、バス７００の乗客であるユーザ６００−１が所持する端末装置（ＵＥ）１００−１及びモバイルルータ（ＭＲ）２００−１と、バス７００の乗客であるユーザ６００−２が所持する端末装置（ＵＥ）１００−２及びモバイルルータ（ＭＲ）２００−２と、無線基地局３００−１及び無線基地局３００−２と、上位ノード（例えば、ＭＭＥ（Mobility Management Entity））４００と、コアネットワーク５００とを含む。
【００１６】
ＵＥ１００−１及びＵＥ１００−２とＭＲ２００−１及びＭＲ２００−２との間の無線通信は、無線ＬＡＮ方式により行われる。ＭＲ２００−１、ＭＲ２００−２、ＵＥ１００−１及びＵＥ１００−２と無線基地局３００−１及び無線基地局３００−２との間の無線通信は、公衆無線通信方式であるＬＴＥ（Long Term Evolution）、ＥＶ−ＤＯ、ＨＳＰＡ（High Speed Packet Access）、ＷｉＭＡＸ（Worldwide Interoperability for Microwave Access）等により行われる。
【００１７】
図２は、ＵＥ１００−１及びＵＥ１００−２（以下、ＵＥ１００−１及びＵＥ１００−２をまとめて、適宜「ＵＥ１００」と称する）の構成を示す図である。図２に示すように、ＵＥ１００は、無線通信部１１０、アンテナ１１２、無線通信部１１４、アンテナ１１６、制御部１２０及び記憶部１３０とを含む。
【００１８】
無線通信部１１０は、例えば無線周波数（ＲＦ）回路やベースバンド（ＢＢ）回路等を用いて構成される。無線通信部１１０は、アンテナ１１２を介して、無線ＬＡＮ方式によりＭＲ２００−１及びＭＲ２００−２（以下、ＭＲ２００−１及びＭＲ２００−２をまとめて、適宜「ＭＲ２００」と称する）との間で無線通信を行うことができる。
【００１９】
無線通信部１１４は、例えばＲＦ回路やＢＢ回路等を用いて構成される。無線通信部１１４は、アンテナ１１６を介して、公衆無線通信方式により、無線基地局３００−１及び無線基地局３００−２（以下、無線基地局３００−１及び無線基地局３００−２をまとめて、適宜「無線基地局３００」と称する）との間で無線通信を行うことができる。
【００２０】
制御部１２０は、例えばＣＰＵ（Central Processing Unit）、ＤＳＰ（Digital Signal Processor）等を用いて構成される。制御部１２０は、ＵＥ１００が具備する各種の機能を制御する。記憶部１３０は、例えばメモリを用いて構成され、ＵＥ１００の制御等に用いられる各種の情報を記憶する。
【００２１】
図３は、ＭＲ２００の構成を示す図である。図３に示すように、ＭＲ２００は、無線通信部２１０、アンテナ２１２、無線通信部２１４、アンテナ２１６、制御部２２０及び記憶部２３０を含む。
【００２２】
無線通信部２１０は、例えばＲＦ回路やＢＢ回路等を用いて構成される。無線通信部２１０は、アンテナ２１２を介して、無線ＬＡＮ方式によりＵＥ１００との間で無線通信を行うことができる。
【００２３】
無線通信部２１４は、例えばＲＦ回路やＢＢ回路等を用いて構成される。無線通信部２１４は、アンテナ２１６を介して、公衆無線通信方式により、無線基地局３００との間で無線通信を行うことができる。
【００２４】
制御部２２０は、例えばＣＰＵ、ＤＳＰ等を用いて構成される。制御部２２０は、ＭＲ２００が具備する各種の機能を制御する。記憶部２３０は、例えばメモリを用いて構成され、ＭＲ２００の制御等に用いられる各種の情報を記憶する。
【００２５】
図４は、無線基地局３００の構成を示す図である。図４に示すように、無線基地局３００は、無線通信部３１０、アンテナ３１２、有線通信部３１４、制御部３２０及び記憶部３３０を含む。
【００２６】
無線通信部３１０は、例えばＲＦ回路やＢＢ回路等を用いて構成される。無線通信部３１０は、アンテナ３１２を介して、公衆無線通信方式により、ＭＲ２００やＵＥ１００との間で無線通信を行うことができる。
【００２７】
有線通信部３１４は、コアネットワーク５００を介して、上位ノード４００や他の無線基地局３００との間で通信を行う。公衆無線通信方式にＬＴＥが採用される場合、無線基地局３００と上位ノード４００との間には、論理的な通信経路であるＳ１インタフェースが確立され、無線基地局３００と他の無線基地局３００との間には、論理的な通信経路であるＸ２インタフェースが確立される。
【００２８】
制御部３２０は、例えばＣＰＵ、ＤＳＰ等を用いて構成される。制御部３２０は、無線基地局３００が具備する各種の機能を制御する。記憶部３３０は、例えばメモリを用いて構成され、無線基地局３００の制御等に用いられる各種の情報を記憶する。
【００２９】
図５は、上位ノード４００の構成を示す図である。図５に示すように、上位ノード４００は、有線通信部４１４、制御部４２０及び記憶部４３０を含む。
【００３０】
無線通信部４１４は、コアネットワーク５００を介して、無線基地局３００との間で通信を行う。
【００３１】
制御部４２０は、例えばＣＰＵ、ＤＳＰ等を用いて構成される。制御部４２０は、上位ノード４００が具備する各種の機能を制御する。記憶部４３０は、例えばメモリを用いて構成され、上位ノード４００の制御等に用いられる各種の情報を記憶する。
【００３２】
次に、無線通信システム１の詳細な処理を説明する。
【００３３】
ユーザ６００−１が所持するＵＥ１００−１内の制御部１２０は、ユーザ６００−１による図示しない操作部の操作に応じて、ユーザ６００−１が所持するＭＲ２００−１内の制御部２２０との間で、呼接続処理を行う。呼接続処理において、ＵＥ１００−１内の制御部１２０は、ＭＲ２００−１に対応するＥＳＳＩＤ（Extended Service Set Identifier）を認識する。更に、ＵＥ１００−１内の制御部１２０は、ＭＲ２００−１に接続するための認証キーを記憶部１３０から読み出し、当該認証キーをＭＲ２００−１へ送信する。ＭＲ２００−１内の制御部２２０は、認証キーを受信すると、当該認証キーに基づく認証を行い、ＵＥ１００−１の接続を許可する。これにより、ＵＥ１００−１とＭＲ２００−１との間で無線ＬＡＮ方式による無線通信が可能となる。
【００３４】
ＭＲ２００−１の周辺の無線基地局（ここでは、無線基地局３００−１及び無線基地局３００−２）は、報知信号等を送信している。ＭＲ２００−１内の制御部２２０は、無線基地局３００−１及び無線基地局３００−２からの報知信号等を受信する。ＭＲ２００−１内の制御部２２０は、各報知信号等の受信電界強度（ＲＳＳＩ：Reserved Signal Strength Indication）、受信品質（ＳＩＮＲ：Signal to Noise Interference Ratio）等の通信品質を測定する。ＭＲ２００−１内の制御部２２０は、通信品質が良好な無線基地局（ここでは、無線基地局３００−１）との間で呼接続処理を行う。これにより、ＭＲ２００−１と無線基地局３００−１との間で、公衆無線通信方式による無線通信が可能となる。
【００３５】
ＵＥ１００−１とＭＲ２００−１との間の呼接続処理と、ＭＲ２００−１と無線基地局３００−１との間の呼接続処理とにより、ＭＲ２００−１は、ＵＥ１００−１と無線基地局３００−１との間の無線通信の中継を行うことができる。
【００３６】
同様に、ＵＥ１００−２とＭＲ２００−２との間の呼接続処理と、ＭＲ２００−２と無線基地局３００−１との間の呼接続処理とが行われる。これにより、ＭＲ２００−２は、ＵＥ１００−２と無線基地局３００−１との間の無線通信の中継を行うことができる。
【００３７】
ＭＲ２００−１内の制御部２２０は、ＧＰＳ（Global Positioning System）等の機能により、ＭＲ２００−１の位置（緯度及び経度）を取得する。ＭＲ２００−１内の制御部２２０は、接続先である無線基地局３００−１からの信号の受信電界強度、受信品質（ＳＩＮＲ：Signal to Noise Interference Ratio）等の通信品質を測定する。
【００３８】
次に、ＭＲ２００−１内の制御部２２０は、ＭＲ２００−１の位置の情報と、通信品質の情報と、アクセス情報とを、無線基地局３００−１を介して、上位ノード４００へ所定の周期で送信する。図６は、送信される情報の一例を示す図である。アクセス情報は、ＭＲ２００−１にＵＥが接続する祭に必要な情報であり、ＥＳＳＩＤ、認証方式及び認証キーを含む。所定の周期は、例えば、５．１２秒、３０秒等の固定値、バス７００の移動速度、換言すれば、ＭＲ２００−１の移動速度に反比例する変動値である。
【００３９】
同様に、ＭＲ２００−２内の制御部２２０は、ＭＲ２００−２の位置（緯度及び経度）を取得する。ＭＲ２００−２内の制御部２２０は、接続先である無線基地局３００−１からの信号の受信電界強度、受信品質等の通信品質を測定する。
【００４０】
次に、ＭＲ２００−２内の制御部２２０は、ＭＲ２００−２のＭＲ番号と、位置の情報と、通信品質の情報と、アクセス情報とを、無線基地局３００−１を介して、上位ノード４００へ所定の周期で送信する。アクセス情報は、ＭＲ２００−２にＵＥが接続する祭に必要な情報であり、ＥＳＳＩＤ、認証方式及び認証キーを含む。
【００４１】
上位ノード４００内の制御部４２０は、ＭＲ２００−１からの位置情報、通信品質情報及びアクセス情報を受信するとともに、ＭＲ２００−２からの位置情報、通信品質情報及びアクセス情報を受信する。
【００４２】
上位ノード４００内の制御部４２０は、ＭＲ２００−１に近接する他のＭＲの情報である近接ＭＲリスト情報を生成する。具体的には、上位ノード４００内の制御部４２０は、ＭＲ２００−１からの位置情報と他のＭＲからの位置情報とを比較し、ＭＲ２００−１から所定範囲内に存在する他のＭＲを判別する。また、上位ノード４００内の制御部４２０は、ＭＲ２００−１からの位置情報の変化に基づくＭＲ２００−１の移動速度と、他のＭＲからの位置情報の変化に基づく他のＭＲの移動速度とを比較し、ＭＲ２００−１と同様（同一方向）に移動している他のＭＲ、換言すれば、バス７００内に存在すると想定される他のＭＲを判別する。
【００４３】
次に、上位ノード４００内の制御部４２０は、ＭＲ２００−１から所定範囲内に存在し、且つ、バス７００内に存在する他のＭＲ（ここでは、ＭＲ２００−２）を判別する。更に、上位ノード４００内の制御部４２０は、ＭＲ２００−１の通信品質情報及びアクセス情報と、判別したＭＲ２００−２の通信品質情報及びアクセス情報とを、通信品質情報によって示される通信品質の良好な順序で配列した近接ＭＲリスト情報（ＭＲ２００−１の近接ＭＲリスト情報）を生成する。図７は、近接ＭＲリスト情報の一例を示す図である。上位ノード４００内の制御部４２０は、ＭＲ２００−１の近接ＭＲリスト情報を、無線基地局３００−１を介してＭＲ２００−１へ送信する。ＭＲ２００−１内の制御部２２０は、ＭＲ２００−１の近接ＭＲリスト情報を受信する。
【００４４】
同様に、上位ノード４００内の制御部４２０は、ＭＲ２００−２からの位置情報と他のＭＲからの位置情報とを比較し、ＭＲ２００−２から所定範囲内に存在する他のＭＲを判別する。また、上位ノード４００内の制御部４２０は、ＭＲ２００−２からの位置情報の変化に基づくＭＲ２００−２の移動速度と、他のＭＲからの位置情報の変化に基づく他のＭＲの移動速度とを比較し、ＭＲ２００−２と同様に移動している他のＭＲ、換言すれば、バス７００内に存在すると想定される他のＭＲを判別する。
【００４５】
次に、上位ノード４００内の制御部４２０は、ＭＲ２００−２から所定範囲内に存在し、且つ、バス７００内に存在する他のＭＲ（ここでは、ＭＲ２００−１）を判別する。更に、上位ノード４００内の制御部４２０は、ＭＲ２００−２の通信品質情報及びアクセス情報と、判別したＭＲ２００−１の通信品質情報及びアクセス情報とを、通信品質情報によって示される通信品質の良好な順序で配列した近接ＭＲリスト情報（ＭＲ２００−２の近接ＭＲリスト情報）を生成する。上位ノード４００内の制御部４２０は、ＭＲ２００−２の近接ＭＲリスト情報を、無線基地局３００−１を介してＭＲ２００−２へ送信する。ＭＲ２００−２内の制御部２２０は、ＭＲ２００−２の近接ＭＲリスト情報を受信する。
【００４６】
ＵＥ１００−１内の制御部１２０は、所定のタイミング、例えば、ＵＥ１００−１とＭＲ２００−１との間の通信品質（ＳＩＮＲ等）の値が所定値以下となった場合、ＭＲ２００−１に対して、ＭＲ２００−１の近接ＭＲリスト情報を要求するための情報（近接ＭＲリスト要求情報）を送信する。
【００４７】
ＭＲ２００−１内の制御部２２０は、ＵＥ１００−１からの近接ＭＲリスト要求情報を受信する。次に、ＭＲ２００−１内の制御部２２０は、要求に応じて、ＭＲ２００−１の近接ＭＲリスト情報をＵＥ１００−１へ送信する。
【００４８】
ＵＥ１００−１内の制御部１２０は、ＭＲ２００−１の近接ＭＲリスト情報を受信する。次に、ＵＥ１００−１内の制御部１２０は、ＭＲ２００−１の近接ＭＲリスト情報に基づいて、ハンドオーバ先となるＭＲの候補（ハンドオーバ先候補）を決定する。具体的には、ＵＥ１００−１内の制御部１２０は、ＭＲ２００−１の近接ＭＲリスト情報の配置順、換言すれば、通信品質の良好な順に、ハンドオーバ先となるＭＲの候補を選択する。なお、ＭＲ２００−１の近接ＭＲリスト情報において、ＭＲ２００−１の情報が最上位に配置されている場合、換言すれば、ＭＲ２００−１の通信品質が最も良好な場合には、ハンドオーバの必要はない。このため、ＵＥ１００−１内の制御部１２０は、一連の処理を終了する。
【００４９】
ＵＥ１００−１内の制御部１２０は、ハンドオーバ先となるＭＲ（ここでは、ＭＲ２００−２）の候補の情報（ハンドオーバ先候補情報）を、ＭＲ２００−１へ送信する。ハンドオーバ先候補情報は、ハンドオーバ先候補であるＭＲ２００−２の識別情報であるＥＳＳＩＤを含む。
【００５０】
ＭＲ２００−１内の制御部２２０は、ＵＥ１００−１からのハンドオーバ先候補情報（ＵＥ１００−１のハンドオーバ先候補情報）を受信する。次に、ＭＲ２００−１内の制御部２２０は、ＵＥ１００−１のハンドオーバ先候補情報を、無線基地局３００−１を介して、上位ノード４００へ送信する。
【００５１】
上位ノード４００内の制御部４２０は、ＵＥ１００−１のハンドオーバ先候補情報を受信する。次に、上位ノード４００内の制御部４２０は、ＵＥ１００−１のハンドオーバ先として、ＵＥ１００−１からのハンドオーバ先候補情報に含まれる識別情報に対応するＭＲ２００−２を決定する。次に、上位ノード４００内の制御部４２０は、ハンドオーバ指示情報を、無線基地局３００−１を介して、ＭＲ２００−１へ送信する。ハンドオーバ指示情報は、ＵＥ１００−１のハンドオーバ先であるＭＲ２００−１の識別情報であるＥＳＳＩＤを含む。
【００５２】
ＭＲ２００−１内の制御部２２０は、ハンドオーバ指示情報を受信する。次に、ＭＲ２００−１内の制御部２２０は、ＵＥ１００−１へハンドオーバ指示情報を送信する。
【００５３】
ＵＥ１００−１内の制御部１２０は、ハンドオーバ指示情報を受信する。次に、ＵＥ１００−１内の制御部１２０は、ハンドオーバ指示情報に含まれるＭＲ２００−２のＥＳＳＩＤをキーとして、ＭＲ２００−１の近接ＭＲリスト情報を検索し、ＭＲ２００−２のアクセス情報を取得する。更に、ＵＥ１００−１内の制御部１２０は、取得したアクセス情報内の認証方式及び認証キーを用いて、ＭＲ２００−２に接続する処理（ハンドオーバ）を実行する。
【００５４】
ＵＥ１００−１内の制御部１２０は、ハンドオーバが終了したことを示す情報（ハンドオーバ応答情報）をＭＲ２００−１へ送信する。ＭＲ２００−１内の制御部２２０は、ハンドオーバ応答情報を受信する。更に、ＭＲ２００−１内の制御部２２０は、ハンドオーバ応答情報を、無線基地局３００−１を介して、上位ノード４００へ送信する。上位ノード４００内の制御部４２０は、ハンドオーバ応答情報を受信する。上位ノード４００内の制御部４２０は、ハンドオーバ応答情報を受信することにより、ハンドオーバ指示情報に応じて、ＵＥ１００−１がＭＲ２００−１からＭＲ２００−２へのハンドオーバを完了したことを認識する。
【００５５】
（２）無線通信システムの動作
図８は、無線通信システムの動作を示すシーケンス図である。
【００５６】
ステップＳ１００において、ユーザ６００−１が所持するＵＥ１００−１は、ユーザ６００−１が所持するＭＲ２００−１との間で、呼接続処理を行う。
【００５７】
ステップＳ１０１において、ＭＲ２００−１は、接続先として無線基地局３００−１を決定し、当該無線基地局３００−１との間で呼接続処理を行う。
【００５８】
ステップＳ１０２において、ＭＲ２００−１は、当該ＭＲ２００−１の位置の情報と、通信品質の情報と、アクセス情報とを、無線基地局３００−１へ送信する。無線基地局３００−１は、ＭＲ２００−１の位置情報、通信品質情報及びアクセス情報を受信する。
【００５９】
ステップＳ１０３において、無線基地局３００−１は、ＭＲ２００−１の位置情報、通信品質情報及びアクセス情報を上位ノード４００へ送信する。上位ノード４００は、ＭＲ２００−１の位置情報、通信品質情報及びアクセス情報を受信する。
【００６０】
ステップＳ１０４において、ＭＲ２００−２は、当該ＭＲ２００−２の位置の情報と、通信品質の情報と、アクセス情報とを、無線基地局３００−１へ送信する。無線基地局３００−１は、ＭＲ２００−２の位置情報、通信品質情報及びアクセス情報を受信する。
【００６１】
ステップＳ１０５において、無線基地局３００−１は、ＭＲ２００−２の位置情報、通信品質情報及びアクセス情報を上位ノード４００へ送信する。上位ノード４００は、ＭＲ２００−２の位置情報、通信品質情報及びアクセス情報を受信する。
【００６２】
ステップＳ１０６において、上位ノード４００は、ＭＲ２００−１の近接ＭＲリスト情報及びＭＲ２００−２の近接ＭＲリスト情報を生成する。
【００６３】
ステップＳ１０７において、上位ノード４００は、ＭＲ２００−１の近接ＭＲリスト情報を送信する。無線基地局３００−１は、ＭＲ２００−１の近接ＭＲリスト情報を受信する。
【００６４】
ステップＳ１０８において、無線基地局３００−１は、ＭＲ２００−１の近接ＭＲリスト情報を送信する。ＭＲ２００−１は、ＭＲ２００−１の近接ＭＲリスト情報を受信する。
【００６５】
ステップＳ１０９において、上位ノード４００は、ＭＲ２００−２の近接ＭＲリスト情報を送信する。無線基地局３００−１は、ＭＲ２００−２の近接ＭＲリスト情報を受信する。
【００６６】
ステップＳ１１０において、無線基地局３００−１は、ＭＲ２００−２の近接ＭＲリスト情報を送信する。ＭＲ２００−２は、ＭＲ２００−２の近接ＭＲリスト情報を受信する。
【００６７】
ステップＳ１１１において、ＵＥ１００−１は、近接ＭＲリスト要求情報を送信する。ＭＲ２００−１は、近接ＭＲリスト要求情報を受信する。
【００６８】
ステップＳ１１２において、ＭＲ２００−１は、ＭＲ２００−１の近接ＭＲリスト情報を送信する。ＵＥ１００−１は、ＭＲ２００−１の近接ＭＲリスト情報を受信する。
【００６９】
ステップＳ１１３において、ＵＥ１００−１は、ＭＲ２００−１の近接ＭＲリスト情報に基づいて、ハンドオーバ先候補となるＭＲ（ここでは、ＭＲ２００−２）を決定する。
【００７０】
ステップＳ１１４において、ＵＥ１００−１は、ハンドオーバ先候補情報を送信する。ＭＲ２００−１は、ハンドオーバ先候補情報を受信する。ステップＳ１１５において、ＭＲ２００−１は、ハンドオーバ先候補情報を送信する。無線基地局３００−１は、ハンドオーバ先候補情報を受信する。ステップＳ１１６において、無線基地局３００−１は、ハンドオーバ先候補情報を送信する。上位ノード４００は、ハンドオーバ先候補情報を受信する。
【００７１】
ステップＳ１１７において、上位ノード４００は、ＵＥ１００−１のハンドオーバ先をＭＲ２００−２に決定する。
【００７２】
ステップＳ１１８において、上位ノード４００は、ハンドオーバ指示情報を送信する。無線基地局３００−１は、ハンドオーバ指示情報を受信する。ステップＳ１１９において、無線基地局３００−１は、ハンドオーバ指示情報を送信する。ＭＲ２００−１は、ハンドオーバ指示情報を受信する。ステップＳ１２０において、ＭＲ２００−１は、ハンドオーバ指示情報を送信する。ＵＥ１００−１は、ハンドオーバ指示情報を受信する。
【００７３】
ステップＳ１２１において、ＵＥ１００−１は、ハンドオーバ指示情報に基づいて、ＭＲ２００−１からＭＲ２００−２へハンドオーバを実行する。
【００７４】
ステップＳ１２２において、ＵＥ１００−１は、ハンドオーバ応答情報を送信する。ＭＲ２００−１は、ハンドオーバ応答情報を受信する。ステップＳ１２３において、ＭＲ２００−１は、ハンドオーバ応答情報を送信する。無線基地局３００−１は、ハンドオーバ応答情報を受信する。ステップＳ１２４において、無線基地局３００−１は、ハンドオーバ応答情報を送信する。上位ノード４００は、ハンドオーバ応答情報を受信する。
【００７５】
（３）作用・効果
本実施形態の無線通信システム１において、ＵＥ１００と無線基地局３００との間の無線通信を中継する各ＭＲ２００は、当該ＭＲ２００の位置情報と、当該ＭＲ２００と無線基地局３００との間の無線通信における通信品質の情報と、ＵＥ１００がＭＲ２００に接続する際に必要となるアクセス情報とを、上位ノード４００へ送信する。上位ノード４００は、各ＭＲ２００からの位置情報に基づいて、１のＭＲ２００から所定範囲内に存在する他のＭＲ２００を判別する。更に、上位ノード４００は、各ＭＲ２００からの通信品質情報に基づいて、１のＭＲ２００と、当該１のＭＲ２００から所定範囲内に存在する他のＭＲ２００との接続に関する順位付けを示す近接ＭＲリスト情報を生成し、１のＭＲ２００に接続しているＵＥ１００へ送信する。ＵＥ１００は、近接ＭＲリスト情報に基づいて、１のＭＲ２００から他のＭＲ２００へのハンドオーバを実行する。
【００７６】
従って、ＵＥ１００は、所定範囲内に存在する複数のＭＲ２００のうち、無線基地局３００との間の通信状態が良好なＭＲ２００に優先的に接続できる。また、近接ＭＲリスト情報には、各ＭＲ２００のアクセス情報が含まれている。このため、複数のＵＥ１００が、１つのＭＲ２００に接続することができ、効率の良い無線通信ができる。
【００７７】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７８】
上述した実施形態では、図１に示すように、ＭＲ２００−１及びＭＲ２００−２の双方が無線基地局３００−１に接続している場合について説明した。しかし、ＭＲ２００−１が無線基地局３００−１に接続し、ＭＲ２００−２が無線基地局３００−２に接続する場合についても、同様に本発明を適用できる。
【００７９】
この場合、ＭＲ２００−２は、ＭＲ２００−２の位置情報、通信品質情報及びアクセス情報を、無線基地局３００−２を介して上位ノード４００へ送信する。また、上位ノード４００は、ＭＲ２００−２の近接リスト情報を、無線基地局３００−２を介してＭＲ２００−２へ送信する。
【００８０】
このように、ＭＲ２００−１とＭＲ２００−２とが異なる無線基地局３００に接続する場合においても、ＵＥ１００は、所定範囲内に存在する複数のＭＲ２００のうち、無線基地局３００との間の通信状態が良好なＭＲ２００に優先的に接続できる。また、近接ＭＲリスト情報には、各ＭＲ２００のアクセス情報が含まれているため、複数のＵＥ１００が、１つのＭＲ２００に接続することができ、効率の良い無線通信ができる。
【００８１】
また、上述した実施形態は、無線通信システム１が、２つのＭＲ２００及び２つの無線基地局３００を含む場合について説明したが、３つ以上のＭＲ２００及び３つ以上の無線基地局３００を含む場合についても、同様に本発明を適用できる。
【００８２】
また、上述した実施形態は、中継装置がモバイルルータ（ＭＲ）の場合について説明したが、モバイルルータ以外の中継装置であって、ＵＥ１００と無線基地局３００との間の無線通信を中継する機能を有するものであれば、同様に、本発明を適用できる。
【００８３】
上述した実施形態は、バスの場合について説明したが、バスに限定することない。
【００８４】
本発明では、中継装置が、中継装置と無線基地局との間の無線通信における通信品質の情報とを作成し、端末装置が、上位ノードを介することなく、通信品質の情報の各々に基づいた通信品質の最も良い中継装置に優先的に接続するようにしてもよい。
【００８５】
このように本発明は、ここでは記載していない様々な実施形態等を包含するということを理解すべきである。
【符号の説明】
【００８６】
１…無線通信システム、１００−１、１００−２…ＵＥ、１１０…無線通信部、１１２…アンテナ、１１４…無線通信部、１１６…アンテナ、１２０…制御部、１３０…記憶部、２００−１、２００−２…ＭＲ、２１０…無線通信部、２１２…アンテナ、２１４…無線通信部、２１６…アンテナ、２２０…制御部、２３０…記憶部、３００−１、３００−２…無線基地局、３１０…無線通信部、３１２…アンテナ、３１４…有線通信部、３２０…制御部、３３０…記憶部、４００…上位ノード、４１４…有線通信部、４２０…制御部、４３０…記憶部
【図１】
0005715493.tif 000002
【図２】
0005715493.tif 000003
【図３】
0005715493.tif 000004
【図４】
0005715493.tif 000005
【図５】
0005715493.tif 000006
【図６】
0005715493.tif 000007
【図７】
0005715493.tif 000008
【図８】
0005715493.tif 000009